(57)【要約】【課題】ＦＰＣ用コネクタの端末差込口にＦＰＣの導通部を斜めに挿入した場合においても、ソケットハウジングにクラックを生じさせることを防止するＦＰＣ用コネクタを提供する。【解決手段】ソケットハウジング３はＦＰＣ２が挿入される端末差込口３０が形成され、接続対象物となるプリント基板４に載置される。複数の接触子５は端末差込口３０に臨むようにソケットハウジング３に内包されている。支持部５２はソケットハウジング３に固定配列されており、支持部５２の底面はプリント基板４に溶着されている。端末差込口３０が幅方向に拡がらないように一対の規制タブ６及び７の埋設片６１及び７１とはソケットハウジング３に対向配置されている。端末差込口３０が厚さ方向に拡がらないように一対の規制タブ６及び７の上部規制６２及び７２とは対向配置されている。【選択図】      図１
2004213917.tif 000002
【特許請求の範囲】
【請求項１】
電線対プリント基板接続用コネクタにおいて電線にＦＰＣが用いられ、当該ＦＰＣが挿抜されるＦＰＣ用コネクタであって、
当該ＦＰＣが挿入される端末差込口を形成されており、接続対象物となるプリント基板に載置されている絶縁性のソケットハウジングと、
二股の弾性挟持部と支持部とで構成されている接触子であって、前記弾性挟持部は当該端末差込口に臨むように前記ソケットハウジングに開閉自在に内包されており、前記支持部は前記ソケットハウジングに固定配列されており、前記ソケットハウジングの底面が前記プリント基板にほぼ当接するように前記支持部の底面は前記プリント基板に溶着されている複数の接触子と、を備え、
前記ＦＰＣが挿入されると亀裂の発生しやすい前記端末差込口の両隅附近を補強するための一対の規制タブを更に備え、
前記端末差込口が幅方向に拡がらないように前記一対の規制タブにおける埋設片は前記ソケットハウジングに圧入されて対向配置されており、かつ、前記一対の規制タブにおける埋設片の底面は前記プリント基板にそれぞれ溶着されており、
前記端末差込口が厚さ方向に拡がらないように前記一対の規制タブにおける上部規制片は横設されて対向配置されていることを特徴とするＦＰＣ用コネクタ。
【請求項２】
請求項１記載のＦＰＣ用コネクタにおいて、
前記一対の規制タブの内、第１の規制タブは第１の埋設片と第１の上部規制片とで逆Ｌ字状に形成されており、
前記一対の規制タブの内、第２の規制タブは第２の埋設片と第２の上部規制片とで逆Ｌ字状に形成されていることを特徴とするＦＰＣ用コネクタ。
【請求項３】
請求項１記載のＦＰＣ用コネクタにおいて、
前記一対の規制タブの内、第１の規制タブは第１の埋設片と第１の上部規制片とでＴ字状に形成されており、
前記一対の規制タブの内、第２の規制タブは第２の埋設片と第２の上部規制片とでＴ字状に形成されていることを特徴とするＦＰＣ用コネクタ。
【請求項４】
請求項１から３いずれか記載のＦＰＣ用コネクタにおいて、前記第１の上部規制片と前記第２の上部規制片とは、それぞれ前記ソケットハウジングの上面から突出しないように埋設されていることを特徴とするＦＰＣ用コネクタ。
【請求項５】
請求項４記載のＦＰＣ用コネクタにおいて、
前記ソケットハウジングは前記プリント基板における実装高さが１．５ｍｍ以下であることを特徴とするＦＰＣ用コネクタ。
【請求項６】
請求項１から５いずれか記載のＦＰＣ用コネクタにおいて、０．３ｍｍの厚さを有する前記ＦＰＣが挿抜されることを特徴とするＦＰＣ用コネクタ。
【発明の詳細な説明】
【０００１】
【発明の属する技術分野】
本発明は、電子機器おける内部配線に使用されるプリント基板用コネクタに関する。特に、平形柔軟ケーブルであるＦＰＣ（Ｆｌｅｘｉｂｌｅ  Ｐｒｉｎｔｅｄ  Ｃｉｒｃｕｉｔ）と接続するプリント基板用コネクタに関する。
【０００２】
【従来の技術】
近年の電子機器、例えば、携帯電話機やディジタルカメラあるいはモバイルはダウンサイジングが加速している。こうした電子機器に実装される電子部品モジュールやプリント基板間を接続するには、平型柔軟ケーブルであるＦＰＣが使用され、ＦＰＣ用コネクタにも実装密度を上げるべく、実装高さを低くすること（低背化）を含めて超小型化が求められている。
【０００３】
従来、この種のコネクタとして、ＦＰＣの導体部を挿抜するときに、挿抜力をほとんど不要とするＺＩＦ（Ｚｅｒｏ  Ｉｎｓｅｒｔｉｏｎ  Ｆｏｒｃｅ）型プリント基板用コネクタがある。
【０００４】
ＺＩＦ型プリント基板用コネクタとしては、ベースインシュレータと、ベースインシュレータに固定されベースインシュレータをプリント基板に機械的に接続する補強タブと、ベースインシュレータに固定されプリント基板に対しＦＰＣを電気的に接続するコンタクトと、及びベースインシュレータに対し第１及び第２の位置間でスライド可能なスライドインシュレータを備えているコネクタがある。
【０００５】
そして、このＦＰＣ用コネクタにおいて、スライドインシュレータは、前記第１の位置にあるときにはＦＰＣを前記コンタクトに圧接させ、前記第２の位置にあるときにはＦＰＣを前記コンタクトから離間可能にするものである。補強タブは、前記スライドインシュレータの前記第２の位置での姿勢を保持する姿勢保持手段を有している。
【０００６】
前述のコネクタは、ＦＰＣの挿入時にスライドインシュレータが倒れないように改善されるとともに、薄型化が図られ、かつスライドインシュレータの開放方向は、コネクタの天地を逆にすれば下方向にも開放できるという開放方向の自由度を増加させた（例えば、特許文献１）。
【０００７】
【特許文献１】
実開平５−９０８６５号公報
【０００８】
【発明が解決しようとする課題】
しかしながら、プリント基板上にその実装高さが１．５ｍｍ〜１．０ｍｍとして要求されるＦＰＣ用コネクタにおいては、前述のようなスライドインシュレータを利用した機構を設けることはほとんど不可能になってくる。
【０００９】
したがって、ＦＰＣ用コネクタの導通部を接触子に接触させる機構を必要とせず、コネクタに内包される二股の接触子の挟圧力だけでＦＰＣの導通部を保持する、いわゆるＮＯＮ−ＺＩＦコネクタで前述の１．５ｍｍ程度以下の低背化を実現しようとする。
【００１０】
一方、前述の実装高さ１．５ｍｍのＮＯＮ−ＺＩＦコネクタに厚さ０．３ｍｍのＦＰＣ又はＦＦＣを挿入するとすれば、コネクタの端末差込口は０．６ｍｍの肉厚程度しか有しないことになる。前述の実装高さ１ｍｍのＮＯＮ−ＺＩＦコネクタに厚さ０．３ｍｍのＦＰＣ又はＦＦＣを挿入するとすれば、コネクタの端末差込口は０．３５ｍｍの肉厚程度しか有しないことになる。
【００１１】
端末差込口を含むソケットハウジングは、絶縁材いわゆるプラスチックで成型されており、硬質プラスチックでソケットハウジングを成型したとしても、コネクタの端末差込口は０．６〜０．３５ｍｍ程度の肉厚しか有しないことになると、ＦＰＣ用コネクタの導通部を端末差込口に斜めに挿入した場合に、ソケットハウジングにクラック（亀裂）が生じるという問題がある。
【００１２】
本発明は、上述した課題を解決すべく、ＦＰＣ用コネクタの端末差込口にＦＰＣの導通部を斜めに挿入した場合においても、ソケットハウジングにおける端末差込口にクラック（亀裂）を生じさせることを防止することができるＦＰＣ用コネクタを提供することを目的とする。
【００１３】
【課題を解決するための手段】
発明者は、上記目的を満たすため、以下のような新たなＦＰＣ用コネクタを発明した。
【００１４】
（１）  電線対プリント基板接続用コネクタにおいて電線にＦＰＣが用いられ、当該ＦＰＣが挿抜されるＦＰＣ用コネクタであって、当該ＦＰＣが挿入される端末差込口を形成されており、接続対象物となるプリント基板に載置されている絶縁性のソケットハウジングと、二股の弾性挟持部と支持部とで構成されている接触子であって、前記弾性挟持部は当該端末差込口に臨むように前記ソケットハウジングに開閉自在に内包されており、前記支持部は前記ソケットハウジングに固定配列されており、前記ソケットハウジングの底面が前記プリント基板にほぼ当接するように前記支持部の底面は前記プリント基板に溶着されている複数の接触子と、を備え、前記ＦＰＣが挿入されると亀裂の発生しやすい前記端末差込口の両隅附近を補強するための一対の規制タブを更に備え、前記端末差込口が幅方向に拡がらないように前記一対の規制タブにおける埋設片は前記ソケットハウジングに圧入されて対向配置されており、かつ、前記一対の規制タブにおける埋設片の底面は前記プリント基板にそれぞれ溶着されており、前記端末差込口が厚さ方向に拡がらないように前記一対の規制タブにおける上部規制片は横設されて対向配置されていることを特徴とするＦＰＣ用コネクタ。
【００１５】
（１）記載の発明によれば、ＦＰＣ用コネクタは電線対プリント基板接続用コネクタにおいて電線にＦＰＣが用いられ、当該ＦＰＣが挿抜される。絶縁性のソケットハウジングは、当該ＦＰＣが挿入される端末差込口を形成されており、接続対象物となるプリント基板に載置されている。そして、ＦＰＣ用コネクタは複数の接触子を備えている。前記接触子は二股の弾性挟持部と支持部とで構成されている。前記弾性挟持部は当該端末差込口に臨むように前記ソケットハウジングに開閉自在に内包されており、前記支持部は前記ソケットハウジングに固定配列されており、前記ソケットハウジングの底面が前記プリント基板にほぼ当接するように前記支持部の底面は前記プリント基板に溶着されている。
【００１６】
前記ＦＰＣが挿入されると亀裂の発生しやすい前記端末差込口の両隅附近を補強するための一対の規制タブをＦＰＣ用コネクタは更に備えている。そして、前記端末差込口が幅方向に拡がらないように前記一対の規制タブにおける埋設片は前記ソケットハウジングに圧入されて対向配置されており、かつ、前記一対の規制タブにおける埋設片の底面は前記プリント基板にそれぞれ溶着されているので、前記一対の規制タブにおける埋設片がソケットハウジングをプリント基板に固定するように作用してかつ、ソケットハウジングの端末差込口にＦＰＣの導通部を斜めに挿入した場合においても前記端末差込口が幅方向に拡がることによるクラック（亀裂）を防止できる。
【００１７】
さらに、前記端末差込口が厚さ方向に拡がらないように前記一対の規制タブは上部規制片が横設されて対向配置されているので、ソケットハウジングの端末差込口にＦＰＣの導通部を斜めに挿入した場合においても、一対の上部規制片が端末差込口の両隅附近を補強し、ソケットハウジングの端末差込口附近において、端末差込口が厚さ方向に広がることによるクラック（亀裂）を生じさせることを防止できる。
【００１８】
（２）  （１）記載のＦＰＣ用コネクタにおいて、前記一対の規制タブの内、第１の規制タブは第１の埋設片と第１の上部規制片とで逆Ｌ字状に形成されており、前記一対の規制タブの内、第２の規制タブは第２の埋設片と第２の上部規制片とで逆Ｌ字状に形成されていることを特徴とするＦＰＣ用コネクタ。
【００１９】
（３）  （１）記載のＦＰＣ用コネクタにおいて、前記一対の規制タブの内、第１の規制タブは第１の埋設片と第１の上部規制片とでＴ字状に形成されており、前記一対の規制タブの内、第２の規制タブは第２の埋設片と第２の上部規制片とでＴ字状に形成されていることを特徴とするＦＰＣ用コネクタ。
【００２０】
（４）  （１）から（３）いずれか記載のＦＰＣ用コネクタにおいて、前記第１の上部規制片と前記第２の上部規制片とは、それぞれ前記ソケットハウジングの上面から突出しないように埋設されていることを特徴とするＦＰＣ用コネクタ。
【００２１】
（４）記載の発明によれば、（１）から（３）記載のＦＰＣ用コネクタにおいて、前記第１の上部規制片と前記第２の上部規制片とは、それぞれ前記ソケットハウジングの上面から突出しないように埋設されているので、ソケットハウジングは１．５ｍｍ〜１.０ｍｍ程度の実装高さを実現できる。
【００２２】
（５）  （４）記載のＦＰＣ用コネクタにおいて、前記ソケットハウジングは前記プリント基板における実装高さが１.５ｍｍ以下であることを特徴とするＦＰＣ用コネクタ。
【００２３】
（６）  （１）から（５）いずれか記載のＦＰＣ用コネクタにおいて、０．３ｍｍの厚さを有する前記ＦＰＣが挿抜されることを特徴とするＦＰＣ用コネクタ。
【００２４】
【発明の実施の形態】
以下に、本発明の実施の形態について図面に基づいて説明する。
【００２５】
図１は、本発明による一実施の形態のＦＰＣ用コネクタとＦＰＣとの構成を示す斜視分解組立図である。図１における実施の形態では、ＦＰＣ用コネクタ１（以下、コネクタ１と略称する）は、前方からＦＰＣ２が挿抜される絶縁性のソケットハウジング３を備えている。
【００２６】
ソケットハウジング３においては、ＦＰＣ２が挿入される端末差込口３０が形成されている。ソケットハウジング３の上面には、後述する第１の規制タブ６が入る埋入穴３６と、第２の規制タブ７が入る埋入穴３７が形成されている。そして、ソケットハウジング３は接続対象物となるプリント基板４に載置されている。
【００２７】
また、実施の形態によるコネクタ１は、ＦＰＣ２が挿入されると亀裂の発生しやすい端末差込口３０の両隅附近を補強するための一対の規制タブ６及び７を更に備えている。第１の規制タブ６は、埋設片６１と上部規制片６２とで逆Ｌ字状に形成されており、埋設片６１がソケットハウジング３における埋入穴３６に圧入されて固着される。
【００２８】
一方、第２の規制タブ７は、埋設片７１と上部規制片７２とで逆Ｌ字状に形成されており、埋設片７１がソケットハウジング３における埋入穴３７に圧入されて固着される。
【００２９】
引き続き、図２により実施の形態におけるコネクタ１の構成を説明する。図２（ａ）は平面図、図２（ｂ）は正面図、図２（ｃ）は側面図である。
【００３０】
図２（ｃ）に示されるように、接触子５は二股の弾性挟持部５１と支持部５２で構成されている。また、弾性挟持部５１は端末差込口３０に臨むようにソケットハウジング３に開閉自在に内包されている。さらに、ソケットハウジング３の底面がプリント基板４の上面にほぼ当接するように、支持部５２の底面はプリント基板４にハンダ付けにより溶着されている。
【００３１】
また、図２（ｂ）に示されるように、ソケットハウジング３の底面がプリント基板４の上面にほぼ当接するように、埋設片６１における底面と埋設片７１における底面とはプリント基板４にそれぞれハンダ付けにより溶着されている。
【００３２】
そして、端末差込口３０が幅方向に拡がらないように、埋設片６１と埋設片７１とはソケットハウジング３に対向配置されている。さらに、端末差込口３０が厚さ方向に拡がらないように、上部規制片６２と上部規制片７２とは対向配置されている。このように、一対の規制タブ６及び７はＦＰＣ２が挿入されると亀裂の発生しやすい端末差込口３０の両隅附近を補強している。また、上部規制片６２と上部規制片７２とは、それぞれソケットハウジング３の上面から突出しないように埋設されている。
【００３３】
図３は、コネクタ１が載置されるプリント基板４の上面に形成されるパターンレイアウト図である。図３の実施の形態は１０極のコネクタ１に対応したパターンレイアウト図である。
【００３４】
図３においては、埋設片６１における底面が長方形の座パターンＰ１にハンダ付けにより溶着される。一方、埋設片７１における底面が長方形の座パターンＰ２にハンダ付けにより溶着される。Ｐ１およびＰ２より面積の小さい長方形の座パターンＰＣ１〜ＰＣ１０には、接触子５における支持部５２の底面がハンダ付けにより溶着される。
【００３５】
このようにして、例えば、１０極数のコネクタ１は幅５．４ｍｍ、奥行３．６ｍｍ、高さ1．５ｍｍ〜１.０ｍｍ程度の細密部品であり、コネクタ１は接続対象物となるプリント基板４に表面実装デバイスの如くハンダ付けにより溶着される。
【００３６】
図４は、コネクタ１にＦＰＣ２が挿入された状態図である。図４においては、このコネクタ１が搭載される電子機器内での使用状態を示しており、プリント基板４上に保持されたコネクタ１に対し、ＦＰＣ２は導通部２Ａにおける露出導体が上向きになるように挿入される。
【００３７】
次に、本発明の作用を説明する。図２（ｂ）に示されるように、端末差込口３０が幅方向に拡がらないように、埋設片６１と埋設片７１とはソケットハウジング３に圧入状態で対向配置されており、更に、端末差込口３０が厚さ方向に拡がらないように、上部規制片６２と上部規制片７２とは対向配置されている。
【００３８】
したがって、ソケットハウジング３の端末差込口３０にＦＰＣ２の導通部２Ａ（図４参照）を斜めに挿入した場合においても、ソケットハウジング３にクラックを生じさせることを防止できる。
【００３９】
一方、ソケットハウジング３の端末差込口３０の下面は、プリント基板４の上面に対し、パターン形成膜程度（数十ミクロン）しか間隙を設けていないので、端末差込口３０の下面は、プリント基板４にほぼ当接状態と考えてよく、ソケットハウジング３の端末差込口３０にＦＰＣ２の導通部２Ａを下向きに斜めに挿入した場合においても、端末差込口３０の下面にはクラックを生じさせることはないと考えられる。
【００４０】
さらに、図２（ｂ）における実施の形態においては、端末差込口３０の絶縁体を介して規制タブ６及び７はソケットハウジング３に埋設されているが、規制タブ６及び７が端末差込口３０を一部形成してもよい。すなわち、ＦＰＣ２における導通部２Ａの露出導体に接触しない範囲で、規制タブ６及び７がＦＰＣ２における導通部２Ａを案内するようにしてもよい。
【００４１】
また、図１において、規制タブ６の埋設片６１が挿入される個所は埋入穴３６が貫通穴となっており、規制タブ６の上部規制片６２が挿入される個所は埋入穴３６においては座ぐり穴となっている。同様に、規制タブ７の埋設片７１が挿入される個所は埋入穴３７が貫通穴となっており、規制タブ７の上部規制片７２が挿入される個所は埋入穴３７においては座ぐり穴となっている。
【００４２】
そして、前述の埋入穴３６及び３７に規制タブ６及び７が圧入されることにより、規制タブ６及び７は、ソケットハウジング３をプリント基板４に固定すると共に端末差込口３０のふくらみを防止する機能も兼ねている。
【００４３】
図５は第２の実施の形態による規制タブ６０の斜視図である。図１に示された規制タブ６における上部規制片６２が部分的であったのに対し、図５における規制タブ６０は埋設片６０Ａと上部規制片６０Ｂが同じ幅の逆Ｌ字状に形成している。
【００４４】
そして、この規制タブ６０がソケットハウジング３における埋入穴６３に圧入され、規制タブ６０における埋設片６０Ａの底面がプリント基板４にハンダ付けにより溶着されている。図５に示された規制タブ６０をソケットハウジング３の右方にも対向配置すれば、ＦＰＣ２が挿入されると亀裂の発生しやすい端末差込口３０の両隅附近を補強することができる。
【００４５】
図６は第３の実施の形態による規制タブ７０の斜視図である。図１または図５に示された規制タブ６または規制タブ６０が逆Ｌ字状に形成されていたのに対し、図６における規制タブ７０は埋設片７０Ａと上部規制片７０Ｂが同じ幅のＴ字状に形成している。
【００４６】
そして、この規制タブ７０がソケットハウジング３における埋入穴７３に圧入され、規制タブ７０における埋設片７０Ａの底面がプリント基板４にハンダ付けにより溶着されている。図６に示された規制タブ７０をソケットハウジング３の左方にも対向配置すれば、ＦＰＣ２が挿入されると亀裂の発生しやすい端末差込口３０の両隅附近を補強することができる。
【００４７】
図２（ｂ）においては、上部規制片６２と上部規制片７２とは、それぞれソケットハウジング３の上面から突出しないように埋設するようにすれば、ソケットハウジング３は１．５ｍｍから１．０ｍｍ程度の実装高さを実現できる。なお、図５及び図６においても、上部規制片６０Ｂあるいは上部規制片７０Ｂをソケットハウジング３の上面から突出しないように埋設するようにすれば、ソケットハウジング３は１．５ｍｍから１．０ｍｍ程度の実装高さを実現できる。
【００４８】
図１の実施例においては、０．３ｍｍの厚さを有するＦＰＣ２がコネクタ１に挿抜される。接触子５のピッチは０．４ｍｍであり、極数は６から３０まで可能である。
【００４９】
また、本発明による技術的思想によれば、本発明のコネクタに適用される電線はＦＰＣに限定されることなくＦＦＣ（Ｆｌｅｘｉｂｌｅ  Ｆｌａｔ  Ｃａｂｌｅ）も可能とする。
【００５０】
【発明の効果】
本発明によれば、ＦＰＣ用コネクタにおいて、ソケットハウジングにＦＰＣが挿入されると亀裂の発生しやすい前記端末差込口の両隅附近を補強するための一対の規制タブを備え、前記端末差込口が幅方向に拡がらないように前記一対の規制タブにおける埋設片は前記ソケットハウジングに圧入されて対向配置されており、かつ、前記一対の規制タブにおける埋設片の底面は前記プリント基板にそれぞれ溶着されており、前記端末差込口が厚さ方向に拡がらないように前記一対の規制タブにおける上部規制片は横設されて対向配置されている。
【００５１】
したがって、一対の規制タブによってソケットハウジングはプリント基板上にしっかりと固定され、この状態でソケットハウジングの端末差込口にＦＰＣの導通部を斜めに挿入した場合においても、一対の規制タブが端末差込口の両隅附近のふくらみを防止しているので、ソケットハウジングの端末差込口附近にクラック（亀裂）を生じさせることを防止できる。
【００５２】
また、本発明によれば、前記第１の上部規制片と前記第２の上部規制片とは、それぞれ前記ソケットハウジングの上面から突出しないように埋設されているので、ソケットハウジングは１．５ｍｍ以下の実装高さを実現できる。
【図面の簡単な説明】
【図１】本発明における一実施の形態のＦＰＣ用コネクタとＦＰＣとの構成を示す斜視分解組立図である。
【図２】本発明における図１における各断面図を用いた実施の形態によるＦＰＣ用コネクタの構成図である。
【図３】本発明におけるコネクタが載置されるプリント基板の上面に形成されるパターンレイアウト図である。
【図４】本発明におけるコネクタにＦＰＣが挿入された状態図である。
【図５】本発明における第２の実施の形態による規制タブの斜視図である。
【図６】本発明における第３の実施の形態による規制タブの斜視図である。
【符号の説明】
１  ＦＰＣ用コネクタ（コネクタ）
２  ＦＰＣ
２Ａ  導通部
３  ソケットハウジング
４  プリント基板
５  接触子
６  規制タブ
７  規制タブ
３０  端末差込口
３６  埋入穴
３７  埋入穴
５１  弾性挟持部
５２  支持部
６０  規制タブ
６０Ａ  埋設片
６０Ｂ  上部規制片
６１  埋設片
６２  上部規制片
６３  埋入穴
７０  規制タブ
７０Ａ  埋設片
７０Ｂ  上部規制片
７１  埋設片
７２  上部規制片
７３  埋入穴
【図１】
2004213917.tif 000003
【図２】
2004213917.tif 000004
【図３】
2004213917.tif 000005
【図４】
2004213917.tif 000006
【図５】
2004213917.tif 000007
【図６】
2004213917.tif 000008